(57)【特許請求の範囲】
【請求項１】
記録された音楽ファイルを再生して再生音声信号として出力しつつ、外部から入力された外部音声信号を前記再生音声信号にミキシングして録音する多重録音装置であって、
録音した音楽ファイルを次回の再生用音楽ファイルとして設定する設定手段と、
多重録音の実行／非実行を選択する手段であって、前回多重録音した場合に多重録音の実行選択状態が維持される選択手段と、
前記再生用音楽ファイルを再生するときの再生条件を変更する変更手段と、
録音キーの操作及び前記選択手段の状態に応じて前記再生用音楽ファイルを前記変更手段により設定された再生条件に基づいて再生し、外部音声信号との多重録音を実行する記録手段と、
を有することを特徴とする多重録音装置。
【請求項２】
請求項１記載の装置において、
前記変更手段は、前記再生用音楽ファイルを再生するときの再生速度及び音程の少なくともいずれかを変更することを特徴とする多重録音装置。
【請求項３】
請求項１、２のいずれかに記載の装置において、
前記変更手段は、前記再生用音楽ファイルを再生するときに前記再生用音楽ファイルに含まれる特定の音声信号を除去することを特徴とする多重録音装置。
【発明の詳細な説明】
【技術分野】
【０００１】
本発明は多重録音装置、すなわち、記録された音楽ファイルを再生して再生音声信号として出力しつつ、外部から入力された外部音声信号を前記再生音声信号にミキシングして録音する装置に関する。
【背景技術】
【０００２】
従来より、記録された音楽ファイルを再生して再生音声信号として出力しつつ、外部から入力された外部音声信号を前記再生音声信号にミキシングして録音する多重録音（オーバダビング）装置が提案されている。
【０００３】
例えば、下記に示す特許文献１には、レコーダに記録された音声データを読み出し、ミキシングした音声データをバッファを用いてレコーダに書き戻す、オーバダビング機能について開示されている。
【０００４】
また、特許文献２には、マイクから入力された音声信号とメモリカード内のソースファイルのＭＰ３音声信号とがミキシングされ、ミックスファイルとしてメモリカードに記憶されるとともに、ミックスファイルを次回からの新たなソースファイルとして利用する、オーバダビング機能について開示されている。
【０００５】
また、特許文献３には、入力音声信号とメモリカード内のソースファイルをミキシングして第１のミックスファイルを作成し、第１のミックスファイルを新たなソースファイルとして入力音声信号とミキシングして第２のミックスファイルを作成する、という動作を繰り返すオーバダビング機能について開示されている。
【０００６】
さらに、特許文献４には、シンセサイザにより出力される演奏曲とマイクから入力される音声とを合成して出力させる演奏制御手段と、演奏の制御に並行してリモコンによる操作に基づいてゲームの制御を実行するゲーム制御手段とを有し、ゲーム評価手段での評価結果に応じて演奏曲の速度及び音声の少なくともいずれかを変更することが開示されている。
【０００７】
【特許文献１】特開平７−８５５９３号公報
【特許文献２】特開２００３−６６９９９号公報
【特許文献３】特開２００４−１５７２６０号公報
【特許文献４】特開２００６−１１１９１号公報
【発明の開示】
【発明が解決しようとする課題】
【０００８】
しかしながら、従来の装置では、多重録音（オーバダビング）する場合に、多重録音する際の元の音楽ファイル（ソースファイル）を手動で選択する操作が必要である、あるいは多重録音するための特別のキー操作（例えばＭＩＸキー）が必要となる等、操作が煩雑となる問題があった。特に、多重録音を繰り返し実行する場合には、これら特別の操作をその都度繰り返し行う必要があるため煩雑さが顕著となる。
【０００９】
また、多重録音の際に、多重録音すべき外部音声入力の音程や速度に合わせるべくソースファイルの音程または再生速度を変更したいと欲する場合が少なくないが、従来においてはこのような要求に応えることができなかった。もちろん、サンプリング周波数を変更することで再生速度は容易に変更可能であるが、多重録音では再生と同時に録音するためサンプリング周波数を変更することはできない。カラオケ装置等では音程のみ、あるいは再生速度のみを変更する技術が実装されているが、多重録音を行うものではない。さらに、楽器の練習等のための多重録音を行う際に、ソースファイルに含まれる楽器の音声を消して自己が演奏した音声を多重録音したいと欲する場合もおおい。従来装置では、このような多様な編集要求に応えることができない問題があった。
【００１０】
本発明の目的は、簡易な操作で多重録音を実行することができるとともに、多重録音時の編集を可能とする装置を提供することにある。
【課題を解決するための手段】
【００１１】
本発明は、記録された音楽ファイルを再生して再生音声信号として出力しつつ、外部から入力された外部音声信号を前記再生音声信号にミキシングして録音する多重録音装置であって、録音した音楽ファイルを次回の再生用音楽ファイルとして設定する設定手段と、多重録音の実行／非実行を選択する手段であって、前回多重録音した場合に多重録音の実行選択状態が維持される選択手段と、前記再生用音楽ファイルを再生するときの再生条件を変更する変更手段と、録音キーの操作及び前記選択手段の状態に応じて前記再生用音楽ファイルを前記変更手段により設定された再生条件に基づいて再生し、外部音声信号との多重録音を実行する記録手段とを有することを特徴とする。
【００１２】
本発明の１つの実施形態では、前記変更手段は、前記再生用音楽ファイルを再生するときの再生速度及び音程の少なくともいずれかを変更する。
【００１３】
本発明の他の実施形態では、前記変更手段は、前記再生用音楽ファイルを再生するときに前記再生用音楽ファイルに含まれる特定の音声信号を除去する。
【発明の効果】
【００１４】
本発明によれば、簡易な操作で多重録音を実行することができるとともに、多重録音時の編集が可能となる。
【発明を実施するための最良の形態】
【００１５】
以下、図面に基づき本発明の実施形態について説明する。
【００１６】
本実施形態における多重録音装置は、携帯型多重録音装置であり、内蔵マイクを有するステレオ多重録音装置である。携帯型多重録音装置は、各種操作キーを有する。操作キーは、録音キー（ＲＥＣキー）、録音済み音楽ファイルの再生キー（ＰＬＡＹキー）、録音・再生の停止キー（ＳＴＯＰキー）、メニューを呼び出すメニューキー、設定変更を行うダイヤルキー等から構成される。また、携帯型多重録音装置は、ＬＣＤや有機ＥＬ等のディスプレイを有し、各種設定状況や録音／再生状況を表示する。
【００１７】
図１に、携帯型多重録音装置の構成ブロック図を示す。装置前面に、ダイヤルキー１０やＬＣＤ１２、操作キー１４が設けられる。ダイヤルキー１０は、再生すべき音楽ファイルを選択し、多重録音の実行／非実行を選択するためのキーである。操作キー１４は、上述したように録音キー、再生キー、停止キー、メニューキーを含む。操作キー１４は、さらに再生速度や音程を調整するためのキーを含んでもよく、特定の音声を除去するためのキーを含んでもよい。特定の音声を除去するためのキーは、例えば楽器の種類を特定するためのキーから構成される。ダイヤルキー１０及び操作キー１４からの操作信号はＣＰＵ１８に供給される。
【００１８】
外部からの音声信号は入力端子（ＡＵＤＩＯＩＮ）から入力され、コーデック（ＣＯＤＥＣ）１６に供給される。コーデック１６は外部音声信号をデジタル信号に変換して符号化し、ＣＰＵ１８に供給する。ＣＰＵ１８は、外部音声信号データを音楽ファイルとしてカードソケット２８に装着されたメモリカード３０に書き込む。ＭＰ３ファイルとして圧縮してもよい。ＣＰＵ１８はシステムクロック１９からのクロック信号で動作し、ＲＯＭ２２に予め格納されたプログラムに従いＲＡＭ２０をワーキングメモリとして用いて信号処理を行う。特に、ＣＰＵ１８は、多重録音の実行／非実行状態をＲＡＭ２０に記憶する。電源オン直後のデフォルト状態では多重録音は非実行状態にあり、ユーザは操作キー１４を操作して実行／非実行を任意に選択する。ＣＰＵ１８は、現在の選択状態をＲＡＭ２０に記憶する。また、ＣＰＵ１８は、メモリカード３０に記録された音楽ファイルを読み出し、圧縮された音楽ファイルを伸長してコーデック１６に供給する。コーデック１６は、音楽ファイルを復号化し、さらにアナログ信号に変換して出力端子（ＡＵＤＩＯＯＵＴ）から出力する。多重録音時には、メモリカード３０に記録された音楽ファイルが再生され、入力端子から入力されるギター等の楽器からの音声やボーカル音声等の外部音声信号とミキシングされて、出力端子から音楽信号として出力される。ＣＰＵ１８は、ミキシングした音楽信号データを音楽ファイルとしてメモリカード３０に書き込む。メモリカード３０に書き込む際には、再生した音楽ファイル（ソースファイル）とは別のファイル名を付与して書き込む。図８に、ＣＰＵ１８の機能ブロック図を示す。メモリカード３０から再生された音楽ファイルはバッファメモリ２９に格納され、さらにＣＰＵ１８のミキシング部１８ａに供給される。ミキシング部１８ａでは、外部音声信号を取り込んで再生音楽信号と加算し、コーデック１６に供給して音楽信号として出力するとともに、バッファメモリ２９に格納しさらにはメモリカード３０に書き込む。なお、ＣＰＵ１８にはミキシング部１８ａの他に、再生音楽信号に含まれる特定の信号を除去するパートキャンセル部１８ｂ、及び再生時の再生速度や録音を制御するコントローラ１８ｃを有する。
【００１９】
携帯型多重録音装置の各部はバッテリ２４からの電力供給を受けて動作する。バッテリ２４は電力回路２６からの電力で充電される。
【００２０】
このような構成において、ＣＰＵ１８は操作キー１４の操作に応じて録音（通常録音）、多重録音、再生を選択的に実行するが、多重録音を実行する場合、まず、ダイヤルキー１０を操作して再生すべき音楽ファイルを選択し、その後、多重録音を実行するかしないかを選択して録音キーを操作するのは煩雑となる。そこで、本実施形態のＣＰＵ１８は、多重録音時のユーザの操作を簡易化すべく、以下のような処理を実行する。第１に、録音あるいは多重録音を実行した場合、録音した音楽ファイルを次回の再生用音楽ファイルに自動設定する。次回の再生用音楽ファイルに自動設定されると、次回においてユーザが多重録音する場合、ユーザは再生する音楽ファイル（ソースファイル）を選択する必要がなくなる。「自動設定」とは、再生のデフォルト状態を当該音楽ファイルに設定する、あるいは、当該音楽ファイルを再生の待機状態に設定することを意味する。再生の待機状態とは、次にキーが操作された場合に自動的に再生される状態にあることを意味する。第２に、多重録音を実行した場合、多重録音の実行／非実行の状態を実行状態のまま維持する。この２つの処理を実行することで、操作性が著しく向上することになる。すなわち、多重録音を繰り返す場合に、前回多重録音を実行して録音された音楽ファイルが再生用音楽ファイルとして自動設定されるためユーザはソースファイルを選択する手間が省ける。さらに、多重録音の実行状態がそのまま維持されるため、多重録音の実行を改めて選択する手間が省ける。ユーザはこれらの手間が省略されることで、多重録音を繰り返し実行する場合でも、通常の録音時と同様の操作で済むことになる。
【００２１】
図２に、本実施形態における処理フローチャートを示す。まず、ユーザはダイヤルキー１０を操作して再生すべき音楽ファイルを選択する（Ｓ１０１）。図３に、ＣＰＵ１８によりＬＣＤ１２に表示される再生ファイル選択画面の一例を示す。メモリカード３０に４つの音楽ファイルが記録されている場合である。４つの音楽ファイルのうち、「Ａ．ＷＡＶ」ファイルがハイライト表示されて現在選択されていることを示す。再生音楽ファイルの選択が完了すると、ＣＰＵ１８は次に再生画面をＬＣＤ１２に表示する（Ｓ１０２）。図４に、ＣＰＵ１８によりＬＣＤ１２に表示される再生画面の一例を示す。時間表示とともに、再生対象のファイル名が表示される。再生画面は再生待機状態にあるファイルを示すものであり、図では選択された「Ａ．ＷＡＶ」ファイルが再生待機状態にあることを示す。この状態から録音キー（ＲＥＣキー）が操作されると（録音キーの第１の操作：Ｓ１０３）、録音待機状態に移行する。そして、ＣＰＵ１８はこの録音待機状態においてダイヤルキー１０が操作されたか否かを判定する（Ｓ１０４）。電源オン直後のデフォルト状態は多重録音は非実行に設定され、最初の多重録音時には、多重録音の実行を選択する必要があるため、ユーザはダイヤルキー１０を操作して多重録音の実行を選択する。ＣＰＵ１８は、多重録音の実行が選択されると、この状態をＲＡＭ２０に記憶するとともに現在の状態を次に変更されるまで維持する（Ｓ１０５）。図５に、多重録音の実行／非実行を選択する画面の一例を示す。多重録音（ＯＶＥＲＤＵＢ）の実行（ＯＮ）／非実行（ＯＦＦ）が表示され、実行がハイライト表示されて現在選択されていることを示す。
【００２２】
この状態で再びユーザが録音キー（ＲＥＣキー）を操作すると（録音キーの第２の操作：Ｓ１０６）、ＣＰＵ１８は多重録音の実行／非実行状態を判定する（Ｓ１０７）。多重録音の状態はＲＡＭ２０に記憶されており、実行に設定されているためＹＥＳと判定され、多重録音が開始される。すなわち、ＣＰＵ１８は、選択された「Ａ．ＷＡＶ」ファイルをメモリカード３０から読み出して再生し出力端子から再生音楽信号として出力する（Ｓ１０８）。当該再生信号は、ＣＰＵ１８内部のミキシング部１８ａで外部音声信号とミキシングされる。ミキシングされた音楽信号データは音楽ファイルとしてメモリカード３０に別のファイル名、例えば「Ｘ．ＷＡＶ」として書き込む（Ｓ１０９）。図６に、多重録音時の画面の一例を示す。時間表示とともに、再生中の音楽ファイル（ソースファイル）のファイル名及び多重録音された音楽ファイルのファイル名が表示される。多重録音はユーザが停止キーを操作するまで実行される。なお、ユーザがダイヤルキー１０を操作しないと電源オン直後のデフォルト状態である多重録音の非実行がそのまま維持され、ＣＰＵ１８はＳ１０７で多重録音の非実行状態にあると判定し、「Ａ．ＷＡＶ」ファイルの再生は行わず、外部音声信号の録音のみを行う。
【００２３】
ユーザが停止キーを操作すると（Ｓ１１０）、ＣＰＵ１８は多重録音処理を停止し、再び再生画面をＬＣＤ１２に表示する（Ｓ１１１）。図７に、再生画面の一例を示す。多重録音によりメモリカード３０に記録された音楽ファイル「Ｘ．ＷＡＶ」のファイル名が表示され、再生待機状態に設定される。ユーザがファイルを選択する操作を実行していないにもかかわらず「Ｘ．ＷＡＶ」ファイルが再生待機状態に設定される点に留意されたい。そして、再びＳ１０３以降の処理を繰り返す。
【００２４】
この状態でユーザが録音キー（ＲＥＣキー）を操作すると、ＣＰＵ１８はダイヤルキー１０が操作されたか否かを判定する（Ｓ１０４）。前回のダイヤルキー１０の操作により既に多重録音の実行が選択され、その状態は維持されているので、ユーザは再度多重録音を実行する場合にはダイヤルキー１０を操作する必要はない。この状態からユーザがさらに録音キー（ＲＥＣキー）を操作すると（Ｓ１０６）、ＣＰＵ１８は再び多重録音の実行／非実行状態を判定し（Ｓ１０７）、ＹＥＳと判定されて音楽ファイルの再生を開始する（Ｓ１０８）。このときに再生するファイルはＳ１１１で再生待機状態に設定された「Ｘ．ＷＡＶ」ファイルである。
【００２５】
一方、ユーザが多重録音ではなく通常の録音を行う場合、ユーザは録音キーを操作して録音待機状態に移行させ、多重録音が非実行に設定されていることを確認した上で（多重録音が実行状態に設定されている場合にはダイヤルキー１０を操作して非実行状態を選択する）、録音キーを再び操作して録音する。
【００２６】
このように、最初の多重録音時には、ダイヤルキー１０を操作して多重録音の実行を選択する必要があるものの、多重録音を繰り返し実行する場合には、多重録音の実行／非実行状態はそのまま維持されるため、ユーザは改めてダイヤルキー１０を操作する必要がない。しかも、前回の多重録音により記録された音楽ファイルが再生待機状態に自動設定されるため、ユーザは多重録音を行う際のソースファイルを選択する必要もない。図２のフローチャートからわかるように、２回目以降の多重録音を行う際の操作としては、Ｓ１０３での録音キー（ＲＥＣキー）の操作と、Ｓ１０６での録音キー（ＲＥＣキー）の操作だけであり、これは多重録音ではない通常の録音時の操作と全く同一の操作である。すなわち、ユーザは多重録音を繰り返し実行する場合、通常の録音操作と全く同一の操作を行えばよい。
【００２７】
一方、多重録音時に再生すべき音楽ファイル（ソースファイル）の再生条件、例えば音程あるいは再生速度の少なくともいずれかを変更する場合、ユーザはＳ１０３で録音キーを操作するに先立って操作キー１４を操作して音程あるいは再生速度を調整する。例えば、Ｓ１０１で再生ファイルを選択した後に操作キー１４を操作して音程あるいは再生速度を調整する。ＣＰＵ１８は、操作キー１４からの信号に応じ、コントローラ１８ｃで音楽ファイルの音程あるいは再生速度を調整して出力する。音程あるいは再生速度をそれぞれ変更する技術はカラオケ装置等で公知であり、タイムストレッチ処理（音程を変えずに再生速度のみを変化させる処理）として知られている。タイムストレッチ処理には、無音区間を検出し、その区間の長さを調整してピッチを変えずにテンポを変化させる方法、台形窓を使ってフレーズから波形を切り出す方法などがある。タイムストレッチ処理は、例えば特開平８−２８７６１０号公報、特開２０００−３１７８号公報、特開２００３−２８０６６４号公報等に開示されている。具体的に例示すると、特開２０００−３１７８号公報では、入力信号をフィルタを用いて複数の帯域に分割し各帯域の信号を振幅成分と周波数成分に変換してその時間変化の速度を指示手段で指示した指示量に基づき変えた後に再合成することで入力信号をタイムストレッチする。図９に、再生速度を変更する場合のタイミングチャート（絶対時間ＡＢＳＴＩＭＥ、記録時間ＲＥＣＯＲＤＴＩＭＥ、再生時間ＰＬＡＹＢＡＣＫＴＩＭＥ）の関係を示す。１００％は通常の再生速度、２００％は再生速度を２倍に早めた場合（２倍速再生）、５０％は再生速度を１／２に遅くした場合（１／２倍速再生）である。絶対時間（実時間）と録音時間は再生速度にかかわらず一致する。なお、再生速度及び音程を同時に調整するようにしてもよいことは言うまでもない。ユーザはソースファイルの音程及び再生速度の少なくともいずれかを所望の音程あるいは再生速度に調整しつつ多重録音を行うことができる。本実施形態では、音程及び再生速度の少なくともいずれかを調整する装置と多重録音を行う装置は同一である。また、多重録音時に再生すべき音楽ファイル（ソースファイル）に含まれる特定の音声信号、例えばギターの音声信号を除去したいと欲する場合、ユーザはＳ１０３の操作に先立って操作キー１４を操作する。ＣＰＵ１８のパートキャンセル部１８ｂは、操作キー１４からの信号に応じ、音楽ファイルに含まれる特定の音声信号を周波数に基づいて抽出し除去する。各楽器の音声はそれぞれ固有の周波数を有するため、特定の楽器の音のみを選択的に抽出し除去することは可能である。後の操作は上記と同様である。これにより、ユーザはソースファイルに含まれる特定の楽器、例えばギターの音声信号のみを除去し、自己が演奏したギターの音声をソースファイルに多重録音することが可能となり、ギターの練習等を効果的に行うことができる。再生速度や音程の調整値、特定の楽器の音声信号の除去の状態をそのまま維持することで、多重録音を繰り返す場合の操作も簡易化される。特に、楽器の練習等においては、自己の演奏した音声のみが繰り返し多重録音されるため、その効果は極めて大きいといえる。
【図面の簡単な説明】
【００２８】
【図１】実施形態における携帯型多重録音装置の構成ブロック図である。
【図２】実施形態の処理フローチャートである。
【図３】再生ファイル選択の画面表示を示す図である。
【図４】再生画面表示を示す図である。
【図５】多重録音の実行／非実行の選択画面を示す図である。
【図６】多重録音時の画面表示を示す図である。
【図７】多重録音終了時の再生画面表示を示す図である。
【図８】ＣＰＵの内部構成ブロック図である。
【図９】再生速度を変更する場合のタイミングチャートである。
【符号の説明】
【００２９】
１０  ダイヤルキー、１２  ＬＣＤ、１４  操作キー、１６  コーデック、１８  ＣＰＵ、２０  ＲＡＭ、２２  ＲＯＭ、２４  バッテリ、２６  電力回路、２８  カードスロット、３０  メモリカード。
【図１】
0005125527.tif 000002
【図２】
0005125527.tif 000003
【図８】
0005125527.tif 000004
【図９】
0005125527.tif 000005
【図３】
0005125527.tif 000006
【図４】
0005125527.tif 000007
【図５】
0005125527.tif 000008
【図６】
0005125527.tif 000009
【図７】
0005125527.tif 000010